(57)【要約】      （修正有）【課題】ネットワーク信号処理回路のインピーダンス整合装置を提供する。【解決手段】整合装置の第１接続側２１１はネットワークチップ２４に電気接続し、第２接続側２１２はネットワークコネクタ１に電気接続し、第１接続側２１１、第２接続側２１２の間は、処理回路２の複数の回線経路２１に電気接続し、各回線経路２１は、それぞれ結合回路２２のコンデンサ２２２を直列し、且つ隣り合う任意の２つの回線経路２１の間は、結合回路２２のインダクタンス組２２１を並列し、任意の２つの隣り合う回線経路２１のインダクタンス組２２１及び第１接続側２１１の間にインピーダンス整合器２３のマイクロストリップ巻組２３１を直列し、マイクロストリップ巻組２３１によりネットワーク信号処理回路の二端のインピーダンスの整合効果を平衡させ、ネットワーク信号伝送の干渉を回避し、ネットワーク信号が安定し、円滑な伝送を達成し、異なるメーカーが生産する主基板への応用に適合する。【選択図】図１
0003199024.tif 000002
【実用新案登録請求の範囲】
【請求項１】
第１接続側、第２接続側、処理回路及びインピーダンス整合器を含み、そのうち、
該第１接続側は、ネットワークチップに電気接続することに用い、
該第２接続側は、ネットワークコネクタに電気接続することに用い、
該処理回路は、第１接続側、第２接続側の間に電気接続され、それぞれ第１接続側及び第２接続側に電気接続する複数の回線経路を設け、各回線経路は、それぞれ結合回路のコンデンサを直列し、且つ任意の２つの隣り合う回線経路の間に結合回路のインダクタンス組を並列し、
該インピーダンス整合器は、処理回路の任意の２つの隣り合う回線経路の間に直列され、第１接続側及びインダクタンス組の間に直列される任意の２つの隣り合う回線経路上のマイクロストリップ巻組を設けるネットワーク信号処理回路のインピーダンス整合装置。
【請求項２】
前記第１接続側は、ネットワークチップに電気接続する複数の第１接続ピンを設け、第２接続側は、ネットワークコネクタに電気接続する複数の第２接続ピンを設ける請求項１に記載のネットワーク信号処理回路のインピーダンス整合装置。
【請求項３】
前記インピーダンス整合器の各マイクロストリップ巻組は、それぞれ単一コイルが緊密に隣り合う方式で連続的に遷移、折り返しして平面式の格子状配列を呈し、各マイクロストリップ巻組の一端が第１接続側に電気接続し、他側がそれぞれ各インダクタンス組に電気接続する請求項１に記載のネットワーク信号処理回路のインピーダンス整合装置。
【請求項４】
前記インピーダンス整合器は、回路レイアウト（ＬＡＹＯＵＴ）方式で複数層の回路板の間に成型され、且つ該複数の回路板の第１接続側、第２接続側の間に直列される処理回路である請求項１に記載のネットワーク信号処理回路のインピーダンス整合装置。
【考案の詳細な説明】
【技術分野】
【０００１】
本考案は、ネットワーク信号処理回路のインピーダンスに関し、特に、ネットワーク終端インピーダンスの整合性を平衡させることができる装置に関し、ネットワーク信号処理回路の各回線経路を利用し、それぞれインピーダンス整合器のマイクロストリップ巻組を直列し、各マイクロストリップ巻組によってネットワーク信号処理回路中のインピーダンスに平衡を形成し、ネットワーク信号の安定の目的を達成させる。
【背景技術】
【０００２】
現在のコンピュータテクノロジーの急速な発展によって、デスクトップ型パソコン又はノート型パソコンは、社会の各処に普遍的に存在し、そのコンピュータの発展は、演算機能が強く、速度が速く、体積が小さい方向へ邁進し、ネットワーク通信技術も急速な成長を遂げ、人々の生活、学習、仕事及びレジャーを従来と異なる斬新な世界へ運び、人と人の間でネットワーク通信によって必要な即時情報、広告宣伝又はメールのやりとり等を相互に伝送させ、同時にネットワークにより各種情報検索、即時通信又はオンラインゲーム等を行わせる。
人々とインターネットとの間の関係を更に熱く、切り離せないものにし、且つネットワーク情報のボーダーレスで時間、場所又は空間の制限を受けずに各種必要な情報をアップロード、ダウンロード、バックアップさせることができ、日常生活又は仕事、学習又は相談等の方面の問題について交流、解答等をさせ、各種ネットワークプラットフォームによってショッピング、情報共有、経験の共有等を行わせることができ、インターネットの応用を更に普及させ、老若男女に愛用されるものにしている。
【０００３】
ネットワークの部分は、電気ケーブル接続及び無線伝送等の二種の方式を用いてデータを伝送し、電気ケーブル接続技術は、ネットワークコネクタを取り付ける必要があり、且つネットワークの運用が益々広くなるにつれて、ネットワーク上で伝送するデータ容量も益々大きくなり、ネットワークベンダーは、使用者の要求を満たすためにネットワーク伝送速度を引き上げ続け、１０Ｍｂｐｓから１００Ｍｂｐｓ又は１Ｇｂｐｓに至り、更に、現在世に出ている光ファイバーネットワーク伝送速度は、１０Ｇｂｐｓ以上に達することができる。
一般のネットワークのタイプは、コンピュータがカバーする地理範囲に基づき、大きくＬＡＮ、ＭＡＮ、ＷＡＮ、無線ＬＡＮ、相互ネットワーク等のタイプに分けることができ、ネットワーク信号の接続、アップロード、ダウンロード等の伝送作業を行う時、ネットワークコネクタを介してねｔｔ−枠信号ケーブルを接続した後、コンピュータの主基板に電気接続し、ネットワークコネクタを介してネットワークケーブルのネットワーク信号をコンピュータの主基板中に伝送し、コンピュータの主基板にネットワーク信号を取得させる。
但し、ネットワークコネクタは、コンピュータの主基板上に電気接続する時、該ネットワークコネクタ内部のネットワークチップ、回路板等は、コンピュータの主基板との間にアンバランスなインピーダンスの差異を発生させ易く（例えば、ネットワークコネクタ端が１００Ω、コンピュータの主基板端が８５Ωである）、ネットワークコネクタがネットワークケーブルのネットワーク信号をコンピュータの主基板に伝送する時、ネットワーク信号は、アンバランスなインピーダンスの干渉、影響を受け、ネットワーク信号の不安定、中断等の信号不調の状況を形成する。
【０００４】
図７に示すように、現在のコンピュータの主基板端Ａは、ネットワークコネクタＢを介してネットワークケーブルＢ１に電気接続し、主基板端Ａにネットワーク信号を取得させるが、主基板端Ａ及びネットワークケーブルＢ１の間は、８５Ω：１００Ωのインピーダンスの差異を形成し、ネットワークケーブルＢ１及び主基板端Ａの平衡を取得する為、通常、ネットワークコネクタＢの処理回路Ｂ２中で変圧器モジュールＢ２１を介してインピーダンスの整合を行い、ただし、主基板端Ａ及びネットワークケーブルＢ１の間のインピーダンスの平衡を達成することはできず、ネットワーク信号の伝送に不安定なノイズ、干渉又は中断等の状況を発生させる。
現在のネットワークコネクタＢに応用される変圧器モジュールＢ２１は、何れも人工的にコイルを磁芯外部に巻き付け、コイルを巻き付けた巻き数によって変圧器モジュールＢ２１の応用機能を決定するが、人工でコイルを磁芯に巻き付ける方式は、コイルの巻き付けの重なり合い、交錯、巻き数の違い、変圧器外観の大きさの不一致等の欠陥を発生させ易く、実際の応用実施時、変圧器の機能が比較的不安定になり、依然として多くの欠陥、改善の余地が存在する。
【０００５】
従って、ネットワーク信号処理回路がネットワーク信号を伝送する時に主基板端及びネットワークケーブルの間のインピーダンスの差異、ネットワーク信号伝送の不安定の欠陥及び不足を招き、ネットワーク信号伝送が干渉を受けやすく、品質が悪化する困難を如何に解決するかは、当業者が改善の方向を欲するところである。
【０００６】
従って、本考案者は、上記の問題及び欠陥に鑑み、関連資料を収集し、多方面の評価及び考慮を経て、本業界に従事した長年の経験をもって、絶えず試作及び修正し、ようやくこの種のネットワークコネクタの回路板上にインピーダンス整合器を設置し、マイクロストリップ巻組によりインピーダンスを上昇させ、コンピュータの主基板及びネットワーク信号ケーブルの間のインピーダンスを平衡させ、且つネットワーク終端のインピーダンス整合を完成し、ネットワーク信号伝送を安定して行わせることができるネットワーク信号処理回路のインピーダンス整合装置を設計している。
【先行技術文献】
【特許文献】
【０００７】
【特許文献１】特開２０１１-４１２９１号公報
【考案の概要】
【考案が解決しようとする課題】
【０００８】
本考案の目的は、該インピーダンス整合装置の第１接続側にネットワークチップを電気接続し、第２接続側にネットワークコネクタに電気接続し、第１接続側、第２接続側の間に処理回路を電気接続する複数の回線経路を有し、各回線経路は、それぞれ結合回路のコンデンサを直列し、且つ隣り合う任意の２つの回線通路間に結合回路のインダクタンス組を並列し、２つの隣り合う回線経路のインダクタンス組及び第１接続側の間に更に、インピーダンス整合器のマイクロストリップ巻組を直列し、マイクロストリップ巻組によってネットワーク信号処理回路の二端のインピーダンスを平衡させる効果を有し、ネットワーク信号伝送を干渉することを回避し、ネットワーク信号の安定伝送の目的を達成し、ネットワーク信号が中断、ノイズ又は不安定の状況を発生し難くし、異なるメーカーが生産する主基板への応用に適合でき、ネットワーク信号伝送を安定、円滑、快速にし、且つ外部ノイズの干渉を受け難くすることにある。
【０００９】
本考案のもう１つの目的は、該ネットワークコネクタの処理回路が設けるインピーダンス整合器が、処理回路の各回線経路の間にそれぞれインピーダンス整合器のマイクロストリップ巻組を直列し、且つ該マイクロストリップ巻組は、単一コイルが緊密に隣り合う方式で連続的に遷移、折り返しして平面式の格子状配列を呈し、各マイクロストリップ巻組の一端が第１接続側に接続し、他側がそれぞれ各インダクタンス組に電気接続し、インピーダンス整合器の複数のマイクロストリップ巻組、処理回路及び結合回路の複数のインダクタンス組、複数のコンデンサ等をそれぞれ複数層の回路板中に取り付け、薄板片状に形成し、更に、電子製品の軽薄短小の設計の要求に適合でき、且つインピーダンス整合器の各マイクロストリップ巻組によってインピーダンスを上昇させる効果を達成できるようにすることにある。
【課題を解決するための手段】
【００１０】
本考案のネットワーク信号処理回路のインピーダンス整合装置は、第１接続側、第２接続側、処理回路及びインピーダンス整合器を含み、そのうち、該第１接続側は、ネットワークチップに電気接続することに用い、該第２接続側は、ネットワークコネクタに電気接続することに用い、該処理回路は、第１接続側、第２接続側の間に電気接続され、それぞれ第１接続側及び第２接続側に電気接続する複数の回線経路を設け、各回線経路は、それぞれ結合回路のコンデンサを直列し、且つ任意の２つの隣り合う回線経路の間に結合回路のインダクタンス組を並列し、該インピーダンス整合器は、処理回路の任意の２つの隣り合う回線経路の間に直列され、第１接続側及びインダクタンス組の間に直列される任意の２つの隣り合う回線経路上のマイクロストリップ巻組を設ける。
【考案の効果】
【００１１】
本考案は、ネットワーク信号処理回路のインピーダンス整合装置に関し、該インピーダンス整合装置の第１接続側は、ネットワークチップに電気接続し、第２接続側は、ネットワークコネクタに電気接続し、第１接続側、第２接続側の間は、処理回路の複数の回線経路に電気接続し、各回線経路は、それぞれ結合回路のコンデンサを直列し、且つ隣り合う任意の２つの回線経路の間は、結合回路のインダクタンス組を並列し、任意の２つの隣り合う回線経路のインダクタンス組及び第１接続側の間にインピーダンス整合器のマイクロストリップ巻組を直列し、マイクロストリップ巻組によりネットワーク信号処理回路の二端のインピーダンスの整合効果を平衡させ、ネットワーク信号伝送の干渉を回避し、ネットワーク信号の安定し、円滑な伝送の目的を達成し、異なるメーカーが生産する主基板への応用に適合することができる。
【図面の簡単な説明】
【００１２】
【図１】本考案の実施例の簡易回路図である。
【図２】本考案の処理回路の局部拡大図である。
【図３】本考案の処理回路の平面図である。
【図４】本考案のネットワーク信号のスミスチャート（１）である。
【図５】本考案のネットワーク信号のスミスチャート（２）である。
【図６】一般のネットワーク信号のスミスチャートである。
【図７】従来のネットワーク信号処理回路の簡易回路図である。
【考案を実施するための形態】
【００１３】
上記目的及び効果を達成する為に本考案が採用する技術手段及びその構造、実施方法等について、図面に合わせた本考案の好適実施例を挙げ、その特徴及び機能を詳細に説明する。
【００１４】
図１、図２、図３を参照し、それは、本考案の簡易回路図、処理回路の局部拡大図、処理回路の平面図であり、図から分かるように、本考案のネットワーク信号処理回路のインピーダンス整合装置は、ネットワークコネクタ１、処理回路２、主基板３及びネットワークケーブル４を含む。
【００１５】
該ネットワークコネクタ１は、複数層の回路板を設け、複数層の回路板は、回路レイアウト(LAYOUT)設計によって処理回路２の複数の回線経路２１、結合回路２２のインダクタンス２２１、コンデンサ２２２及びインピーダンス整合器２３等をパッケージし、該複数の回線経路２１は、それぞれ結合回路２２のコンデンサ２２２を直列し、任意の２つの隣り合う回線経路２１の間は、更に、結合回路２２のインダクタンス組２２１を並列し、且つ処理回路２一側を第１接続側２１１によってネットワークチップ２４に電気接続させ、他側は、第２接続側２１２によりネットワークコネクタ１に電気接続する。
処理回路２の各回線経路２１の間、第１接続側２２１及び結合回路２２のインダクタンス組２２１の間は、それぞれインピーダンス整合器２３のマイクロストリップ巻組２３１を直列し、複数のマイクロストリップ巻組２３１は、単一コイルが緊密に隣り合う方式で接続遷移、折り返しを行い、平面式の格子状配列を呈し、各マイクロストリップ巻組２３１一側は、それぞれ第１接続側２１１に電気接続し、他側は、それぞれ各結合回路２２のインダクタンス組２２１に電気接続し、該ネットワークコネクタ１、処理回路２、インピーダンス整合器２３等によって本考案のネットワーク信号処理回路のインピーダンス整合装置を構成することができる。
【００１６】
上記ネットワークコネクタ１の実際の応用時、ネットワークコネクタ１を予め設けるコンピュータの主基板３に電気接続し、且つネットワークコネクタ１によりネットワークケーブル４に電気接続することができ、ネットワークケーブル４を介して伝送するネットワーク信号がネットワークコネクタ１の処理回路２を経由した後、予め設けたコンピュータの主基板３に伝送され、ネットワーク信号を伝送する過程において、主基板３及びネットワークケーブル４の間に発生するインピーダンスの差異が主基板３（約８５Ω）：ネットワークケーブル４（約１００Ω）であり、ネットワークコネクタ１中の処理回路２を介してインピーダンス整合器２３によりインピーダンス整合を行うことができ、インピーダンス整合器２３の各マイクロストリップ巻組２３１を利用し、処理回路２のインピーダンス（約１５Ω）を上昇させ、ネットワーク回路のインピーダンス整合の目的を達成し、ネットワーク信号終端の整合を完成し、且つネットワーク信号を更に安定、円滑、快速にし、中断、ノイズ、干渉等の状況を発生し難くすることができる。
【００１７】
ネットワークコネクタ１の複数層の回路板は、回路レイアウト（ＬＡＹＯＵＴ）の設計によって処理回路２の複数の回線経路２１、結合回路２２のインダクタンス組２２１、コンデンサ２２２及びインピーダンス整合器２３等をパッケージし、インピーダンス整合器２３のマイクロストリップ巻組２３１の平面式格子状配列を呈する設計は、複数層の回路板を薄形板片状に形成させることができ、且つ複数層の回路板の高さも大幅に低減され、過度に大きな空間を占用せず、即ち、電子製品の軽薄短小の設計要求に適合でき、応用の制限が少なく、異なるメーカーが生産する主基板への応用に適合し、ネットワーク信号の安定伝送を向上し、干渉を受け難くする等の効果を有することができる。
【００１８】
図１、図４、図５、図６、図７を参照して説明するが、それは、本考案の実施例の簡易回路図である。
ネットワーク信号のスミスチャート（一）、ネットワーク信号のスミスチャート（二）及び一般のネットワーク信号のスミスチャート、ネットワーク信号の処理回路の簡易回路図であり、図から分かるように、従来の一般ネットワーク信号伝送過程において、主基板端Ａ及びネットワークケーブルＢ１の間のネットワーク信号のインピーダンスがアンバランスになることにより、インピーダンスが過度に低下する現象を形成し、容量性を呈し（図６参照）、処理回路Ｂ２中のインピーダンスが過度に低下することによりネットワーク信号の不安定の状況を容易に招くが、本考案は、処理回路２中の回線経路２１によってインピーダンス整合器２３のマイクロストリップ巻組２３１に電気接続した後、処理回路２のインピーダンスを向上することができ（図１、図４参照）、処理回路２に対して整合を行うことができ、処理回路２中のインピーダンスに平衡（図５参照）の目的を達成させ、ネットワークコネクタ１に処理回路２を利用してコンピュータの主基板３、ネットワークケーブル４との間のインピーダンスの整合作用を行わせ、ネットワーク回路のインピーダンスの整合の目的達成し、ネットワーク信号終端の整合の効果を完成することができる。
【００１９】
上記のスミスチャート(Smith Chart)の内容から分かるように（図４、図５参照）、本考案の処理回路２は、ネットワーク信号伝送を行う時、ネットワークコネクタ１が予め設けたコンピュータの主基板３、ネットワークケーブル４の間を電気接続することでインピーダンスの差異を発生し、ネットワーク信号の伝送が不安定になる現象を招き、処理回路２中に設置するインピーダンス整合器２３のマイクロストリップ巻組２３１を利用し、処理回路２の誘導性のインピーダンス効果を向上し、元々高過ぎるインピー（図５参照）、ネットワークコネクタ１にネットワークケーブル４のネットワーク信号を予め設けたコンピュータの主基板３に伝送させる時、ネットワーク信号の安定伝送の目的を達成することができ、且つ信号伝送を更に円滑、快速する。
【００２０】
また、上記の処理回路２は、各回線回路２１の第１接続側２１１を利用し、ネットワークチップ２４の接続ピン組２４１の各接続ピン２４１１に接続する（各接続ピン２４１１は、それぞれＭＤ０＋、ＭＤ０−、ＭＤ１＋、ＭＤ１＋、ＭＤ２＋、ＭＤ２−、ＭＤ３＋及びＭＤ３−であることができ、各接続ピン２４１１の区分の番号とするのみであり、各番号は、依然として実際の設計の要求に応じＴ絵変更することができ、本考案の権利範囲を制限するものではない）。且つ処理回路２は、各回線経路２１の他側の第２接続側２１２を利用し、ネットワークコネクタ１の端子組１１の各端子ピン１１１に電気接続する（各端子ピン１１１は、それぞれＭＸ０＋、ＭＸ０−、ＭＸ１＋、ＭＸ１−、ＭＸ２＋、ＭＸ２−、ＭＸ３＋及びＭＸ３−であることができ、各端子ピン１１１の区分の番号とするのみであり、各番号は、依然として実際の設計の要求に応じＴ絵変更することができ、本考案の権利範囲を制限するものではない）。
【００２１】
従って、以上の記載は、ただ本考案の好適実施例とするのみであり、本考案の権利範囲を制限するものではなく、本考案のネットワーク信号処理回路のインピーダンス整合装置は、ネットワークコネクタ１のネットワーク信号処理回路２の各回線経路２１において、回路レイアウト設計によって結合回路２２のインダクタンス組２２１、コンデンサ２２２を成型し、且つ第１接続側２１１は、ネットワークチップ２４に接続し、第２接続側２１２は、ネットワークコネクタ１の端子組１１に電気接続し、各回線経路２１の第１接続側２１１、インダクタンス組２２１の間にインピーダンス整合器２３のマイクロストリップ巻組２３１を直列四、処理回路２の二端に予め設けたコンピュータの主基板３、ネットワークケーブル４の間のインピーダンスを平衡させることができ、処理回路２のインピーダンスの整合、ネットワーク信号の伝送を安定させる目的を達成することができる。
且つ、マイクロストリップ巻組２３１によって処理回路２のネットワーク回路のインピーダンスの整合の効果を達成し、ネットワーク終端のインピーダンスの整合を完成し、ネットワーク処理回路２のネットワーク信号の伝送に中断、ノイズ等の現象が発生することを回避し、異なるメーカーが生産する主基板への応用に適合でき、故に前記効果を達成可能な構造、装置は、何れも本考案に含まれ、この種の簡易な就職及び等価構造の変化は、何れも本考案の保護範囲内に含まれるべきである。
【００２２】
故に、本考案は、ネットワーク信号処理回路のインピーダンス整合装置に対して設計を行い、ネットワークコネクタのネットワーク信号処理回路の各回線経路にそれぞれ結合回路のコンデンサを直列し、且つ任意の２つの隣り合う回線経路の間に結合回路のインダクタンスモジュールを電気接続し、処理回路の第１接続側にネットワークチップを電気接続し、第２接続側にネットワークコネクタを電気接続し、各回線経路のインダクタンス組及び第１接続側の間にインピーダンス整合回路のマイクロストリップ巻組を電気接続し、マイクロストリップ巻組が処理回路のインピーダンスを向上させ、ネットワーク信号の安定伝送をさせることが保護の要点であり、インピーダンス整合器の各マイクロストリップ巻組によってネットワーク回路のインピーダンス整合の目的を達成し、マイクロストリップ巻組がネットワーク終端のインピーダンス整合を完成し、ネットワークコネクタのネットワーク信号の伝送を更に円滑で安定させる目的を達成し、ただし、好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【００２３】
上記のように、本考案の上記のネットワーク信号処理回路のインピーダンス整合装置の実際の実行、実施時、その効果及び目的を確実に達成することができ、故に、本考案は、実用性に優れた研究開発であり、実用新案の出願要件に適合する。
【符号の説明】
【００２４】
１  ネットワークコネクタ
１１  端子組
１１１  端子ピン
２  処理回路
２１  回線経路
２１１  第１接続側
２１２  第２接続側
２２  結合回路
２２１  インダクタンス組
２２２  コンデンサ
２３  インピーダンス整合器
２３１  マイクロストリップ巻組
２４  ネットワークチップ
２４１  接続ピン組
２４１１  接続ピン
３  主基板
４  ネットワークケーブル
Ａ  主基板端
Ｂ  ネットワークコネクタ
Ｂ１  ネットワークケーブル
Ｂ２  処理回路
Ｂ２１  変圧器モジュール
【図１】
0003199024.tif 000003
【図２】
0003199024.tif 000004
【図３】
0003199024.tif 000005
【図４】
0003199024.tif 000006
【図５】
0003199024.tif 000007
【図６】
0003199024.tif 000008
【図７】
0003199024.tif 000009